(57)【要約】      （修正有）【課題】従来の飲料を飲む器に取り付けた耳形状把手部は、握力が弱い子供及び老人等には不安定な持ち方する為に、器が傾いて飲料を零す問題があった。また、器に入れた飲料を零さず、市販されている器にも把手部を設けることができ、楽しく変化に富んだ飲み方ができる飲口及び把手部を設けた器の要望があった。【解決手段】飲料を飲む器１に設ける把手部としては、器の外周壁の縦方向所要位置に、リング状把手部３及び突出片状把手部及び着脱リング状把手部を横方向に設けるとよい。また、リング状把手部３及び突出片状把手部及び着脱リング状把手部の把手部上部に、下唇位置ガイド７と把手部飲口８を設けるとよい。また、器１の外周壁２上部を飲口区分切欠部１１で所要の複数に区分して下唇位置ガイド７と区分飲口を設けた器１にするとよい。【選択図】図７
2015077993.tif 000002
【特許請求の範囲】
【請求項１】
飲料を飲む器において、器(１)の外周壁(２)の縦方向所要位置に、器(１)を持つリング状把手部(３)を横方向に設け、該リング状把手部(３)を持って器(１)に入れた飲料を飲むことを特徴とする飲料を飲む器。
【請求項２】
飲料を飲む器において、器(１)の外周壁(２)の縦方向所要位置に、器(１)を持つ突出片状把手部(４)を横方向等分割に複数設け、該突出片状把手部(４)を持って器(１)に入れた飲料を飲むことを特徴とする飲料を飲む器。
【請求項３】
飲料を飲む器において、逆円錐台形状器(１)の外周壁(２)の縦方向所要位置に、器(１)を持つ着脱リング状把手部(５)を着脱自在に横方向に設け、該着脱リング状把手部(５)を持って器(１)に入れた飲料を飲むことを特徴とする飲料を飲む器。
【請求項４】
請求項１記載のリング状把手部(３)及び請求項２記載の突出片状把手部(４)及び請求項３記載の着脱リング状把手部(５)の把手部上部(６)に、下唇位置ガイド(７)と把手部飲口(８)を設け、該リング状把手部(３)及び突出片状把手部(４)及び着脱リング状把手部(５)を持って口唇部の下唇を下唇位置ガイド(７)に押し当て、把手部飲口(８)より器(１)に入れた飲料を飲むことを特徴とする請求項１ないし３のいずれか一項記載の飲料を飲む器。
【請求項５】
請求項１記載のリング状把手部(３)及び請求項２記載の突出片状把手部(４)及び請求項３記載の着脱リング状把手部(５)の把手部上部(６)に、形状の異なる下唇位置ガイド(７)と形状の異なる把手部飲口(８)を複数組み合わせて設けたことを特徴とする請求項１ないし４のいずれか一項記載の飲料を飲む器。
【請求項６】
飲料を飲む器において、器１の上縁(９)より下側所要位置までの外周壁(２)を、飲口区分切欠部(１１)で所要の複数に区分して下唇位置ガイド(７)と区分飲口(１３)を設け、該下唇位置ガイド(７)に口唇部の下唇を押し当て、区分飲口(１３)より器(１)に入れた飲料を飲むことを特徴とする飲料を飲む器。
【請求項７】
飲料を飲む器において、器(１)を複数に区分した下唇位置ガイド(７)と区分飲口(１３)に、形状の異なる下唇位置ガイド(７)と形状の異なる区分飲口(１３)を複数組み合わせて設けたことを特徴とする飲料を飲む器。
【請求項８】
飲料を飲む器において、複数の区分飲口(１３)を設けた器(１)の外周壁(２)の縦方向所要位置に、器１を持つリング状把手部(３)及び突出片状把手部(４)及び着脱リング状把手部(５)を横方向に設け、該リング状把手部(３)及び突出片状把手部(４)及び着脱リング状把手部(５)を持って器(１)に入れた飲料を、区分飲口(１３)より飲むことを特徴とする飲料を飲む器。
【請求項９】
請求項１記載のリング状把手部(３)及び請求項３記載の着脱リング状把手部(５)の把手部上部(６)に設けた下唇位置ガイド(７)と把手部飲口(８)及び形状の異なる下唇位置ガイド(７)と形状の異なる把手部飲口(８)を、飲口区分切欠部(１１)で所要の複数に区分し、該複数に区分した把手部飲口(８)より器(１)に入れた飲料を飲むことを特徴とする請求項１及び請求項３のいずれか一項記載の飲料を飲む器。
【発明の詳細な説明】
【技術分野】
【０００１】
本発明は飲料を飲む器(ぐい呑、猪口、湯呑、湯割呑、水割呑、茶椀、コップ、グラス等)を持つ為に、器１の外周壁２の縦方向所要位置の横方向に設けるリング状把手部３と突出片状把手部４と着脱リング状把手部５及びこの把手部上部６に設けて、器に入れた飲料を飲む為に口唇部の下唇を押し当てる下唇位置ガイド７と飲料を飲む把手部飲口８及び飲口区分切欠部１１で飲口を区分した器及び把手部を設けた器に関する。
【背景技術】
【０００２】
従来の飲料を飲む器に設けた把手部としては、器１の外周壁２に耳形状の把手部(以後耳形状把手部と言う)を縦方向(上下方向)に設けたコーヒカップ、テーカップ、マグカップ、ジョッキ等の耳形状把手部付き器(図示せず)が市販されている。
【０００３】
それと、本発明者若杉要が特許出願した発明の名称が形状の異なる複数の飲口を有する器で、出願番号特願２００８−１９０３０２の明細書及び図面に記載された零れ防止カバーに設けた把手部(以後零れ防止カバー型把手部と言う)及び飲口に口唇部位置ガイド(以後口唇部位置ガイドと言う)及び平板突片縁状飲口等を設けた器(図示せず)が開発されている。
【０００４】
また、従来の飲料を飲む器１の飲口としては、器１の上縁９から飲む縁状飲口１２があり、上縁９の厚さが異なるが、飲口は同一形状からなる縁状飲口(図示せず)及び上縁９が内側又は外側に同じ角度で反った同一形状からなる縁状飲口(図示せず)があり、飲料の種類等によって器を選んでいた。
【発明の開示】
【発明が解決しようとする課題】
【０００５】
従来の器１に取り付けた耳形状把手部は、通常器１の外周壁２の縦方向所要位置に耳形状把手部が大きく飛び出して縦方向(上下方向)に設けてあり、器１に設けた耳形状把手部を持って飲むと、耳形状把手部は器１の外周壁２の縦方向は二箇所で支持するが、横方向(水平方向)は器１の外周壁２より離れた一箇所で支持する為に、器１を持つ手の握力が弱い子供及び老人等には、器１が重たく不安定な持ち方をする為に、耳形状把手部を持つと器１が傾いて器１に入れた飲料を零すことがよくあった。
【０００６】
その為に、幼児用として器１の外周壁２の縦方向に、対向した耳形状把手部を二個付けた器(図示せず)が市販されているが、幼児は嫌がらずに両手で飲むが、五歳位以上の子供及び老人等は両手で飲むのは赤ん坊みたいで嫌がり、器１に入れた飲料を零さず、飲み易くて違和感がなく、楽しく飲む事ができる器１の開発が望まれていた。
【０００７】
よって、器１を持つ手の握力が弱い子供及び老人等でも器１を滑って落とすことなく、簡単容易に持つことができ、手に持った器１が傾いて飲料を零す事がない把手部付きの器１の開発が切望されていた。
【０００８】
また、器１に冷たい飲料を入れて飲む時に器１の外周壁２に結露が発生し、この結露により特にガラスコップ等を手から滑って落とす事が有り、結露でも器１を滑って落とさない対策用品の要望がガラスコップ使用者等からあった。
【０００９】
それと、老人ホームで食事の介護をしているヘルパーの悩みは、入居者が食事の時に湯呑及びコップ等に入れたお茶、ジュース、ミルク等をよく零すことがあり、湯呑及びコップ等に入れたお茶、ジュース、ミルク等を零さず、飲み易くて楽しく飲む事ができ、現在使用している湯呑及びコップ等にも対応できる安価な把手部の開発が望まれていた。
【００１０】
また、市販されている器１にも把手部を設けることの出来る把手部の開発が望まれていた。
【００１１】
また、器１を重ねて収納するのに便利で、把手部が取り外せる着脱可能な把手部の要望が主婦及び飲食店従業員等からあった。
【００１２】
従来の飲料を飲む器の殆どは、器１の上縁９(陶芸では口縁とも言う)から飲む縁状飲口１２(陶芸では口縁飲み口とも言う)で、飲料を飲む時には口唇部(主に下唇部)が常時同一飲口にしか接しないので、口唇部に常時同じ感触しか得られず感覚が単調になる欠点があった。
【００１３】
尚、縁状飲口１２とは、飲口(器１の飲料を飲む為に口唇部が器１に触れる部分)である器１の外周壁２の上部に下唇を押し付け、上唇の両端部分を器１の上縁９に軽く載せ、上唇中央部を少し開けてから器１を傾けると、器１に入れた飲料が上縁９と上唇中央部分の隙間形状の大きさで口腔内に流出する飲料を上縁９より飲む箇所を言う。
【００１４】
そして、縁状飲口１２より飲料を飲む時には上唇中央部分は器１の上縁９に接触せず、一口飲み終ると直ぐに器１より下唇及び上唇を縁状飲口１２より引き離していた。
【００１５】
それと、口腔内では口唇部と舌先部の触圧覚が最も鋭敏であることが、口腔医療関係者には常識として知られており、飲口にできるだけ多く口唇部を接触させて、触圧覚により感覚を高め、特に嗜好品である日本茶、紅茶、コーヒー、アルコール飲料等を味わいながら楽しく、変化に富んだ飲み方ができる飲口及び器１を手から滑って落とさない把手部を有する器１の開発が望まれていた。
【００１６】
また、従来の縁状飲口１２を有する器１でも飲口にできるだけ多く口唇部を接触させることができ、特に飲料を一口飲み器１より下唇及び上唇を離す時に、ゆっくりと下唇及び上唇中央部分も飲口に接触させることができ、触圧覚により感覚を高めて一口飲む毎に、下唇及び上唇中央部分にも触圧覚により飲口の感触を楽しみ、飲口より口唇部を離した後にも余韻の様に口唇部に感触が残る等、今までにない飲料を楽しく飲む事が体感できる器の開発が愛好者に望まれていた。
【００１７】
それと、本発明者若杉要が特許出願した形状の異なる複数の飲口を有する器で、出願番号特願２００８−１９０３０２の明細書及び図面に記載された零れ防止カバー型把手部を設けた形状の異なる複数の飲口を有する器(図示せず)は、器１の上部に設けた零れ防止カバーの為に、器内部の隅々までの洗浄に不便があり、器内部の洗浄が容易で、縁状飲口１２から飲む時にも把手部が邪魔にならない器１の開発が望まれていた。
【００１８】
また、出願番号特願２００８−１９０３０２の明細書及び図面に記載された口唇部位置ガイド(図示せず)は、紐状の口唇部位置ガイドが飲口に下唇状に装設されている為に、下唇が口唇部位置ガイドに接触する部分が少なく、一口飲み終ると直ぐに器より下唇を引き離しており、下唇部分が紐状の口唇部位置ガイドより多く接触することができ、飲料を一口飲み器より下唇を離す時にもゆっくりと長く下唇が接触することにより、下唇の接触覚がより多くなり、感覚を一段と高め下唇を離した後も感触が残る様な口唇部位置ガイドに代わる下唇位置ガイドを有する器の開発が望まれていた。
【００１９】
また、平板突片縁状飲口(図示せず)は、器の上縁と平板突片との段差(図示せず)が、上縁と口唇部の上唇中央部の隙間形状の大きさとなり、器の飲料が平板突片の平板上面を流動し、平板形状の幅広状で安定して口腔内に流出させることができるが、平板突片縁状飲口より飲む時に、器の上縁と平板突片との段差部分が上唇の両端部に違和感が有り、段差部分の無い平板突片縁状飲口に代わる飲口を有する器の開発が望まれていた。
【００２０】
また、平板突片縁状飲口は、平板突片の上下面が平面状であるが、上下面の形状が異なる飲口を複数組み合わせて設け、口唇部の下唇及び上唇にも色々な変化に富んだ接触ができ、飲口に接触する下唇及び上唇の感触による接触覚を色々と比べることが可能で、飲む楽しみが増大する平板突片縁状飲口に代わる飲口を有する器の開発が器愛好家から特に要望があった。
【課題を解決するための手段】
【００２１】
上記目的を達成するために、本発明の飲料を飲む器に設ける把手部としては、器１の外周壁２の縦方向所要位置に、器１を持つリング状把手部３を横方向に設けた器１にするとよい。
【００２２】
また、器１の外周壁(２)の縦方向所要位置に、器１を持つ突出片状把手部４を横方向等分割に複数設けた器１にするとよい。
【００２３】
また、逆円錐台形状器においては、器１の外周壁２の縦方向所要位置に、器１を持つ着脱リング状把手部５を着脱自在に横方向に設けた器１にするとよい。
【００２４】
また、リング状把手部３及び突出片状把手部４及び着脱リング状把手部５の把手部上部６に、下唇位置ガイド７と把手部飲口８を設けたリング状把手部３及び突出片状把手部４及び着脱リング状把手部５を設けた器１にするとよい。
【００２５】
また、リング状把手部３及び突出片状把手部４及び着脱リング状把手部５の把手部上部６に、形状の異なる下唇位置ガイド７と形状の異なる把手部飲口８を複数組み合わせて設けたリング状把手部３及び突出片状把手部４及び着脱リング状把手部５を設けた器１にするとよい。
【００２６】
また、器１の上縁９より下側所要位置までの外周壁２を、飲口区分切欠部１１で所要の複数に区分した下唇位置ガイド７と区分飲口１３を設けた器１にするとよい。
【００２７】
また、飲口区分切欠部１１で所要の複数に区分した下唇位置ガイド７と区分飲口１３に、形状の異なる下唇位置ガイド７と形状の異なる区分飲口１３を複数組み合わせて設けた器１にするとよい。
【００２８】
また、複数の区分飲口１３を設けた器１の外周壁２の縦方向所要位置に、器１を持つリング状把手部３及び突出片状把手部４及び着脱リング状把手部５を横方向に設けるとよい。
【００２９】
また、リング状把手部３及び着脱リング状把手部５の把手部上部６に設けた下唇位置ガイド７と把手部飲口８及び形状の異なる下唇位置ガイド７と形状の異なる把手部飲口８を、飲口区分切欠部１１で所要の複数に区分するとよい。
【発明の効果】
【００３０】
本発明は、以下に記載されるような効果を奏する。
【００３１】
請求項１及び請求項２及び請求項３によれば、器１を持つリング状把手部３及び突出片状把手部４及び着脱リング状把手部５を縦方向(上下方向)所要位置に設けることで、器１を持つ手で器１の外周壁２を親指とその他の指で挟み、親指と人差し指でリング状把手部３及び突出片状把手部４及び着脱リング状把手部５の下側の支持部１０を支えることにより、器１の外周壁２の横方向(水平方向)を複数個所で支持する為に、器１を持つ手の握力が弱い子供及び老人等でも、器１を軽く安定させて持つことができ、リング状把手部３及び突出片状把手部４及び着脱リング状把手部５を持って飲むことにより、器１が傾いて飲料を零すことがない優れた効果がある。
【００３２】
また、器１の外周壁２の上縁９より下側の縦方向所要位置に、器１を持つリング状把手部３及び突出片状把手部４及び着脱リング状把手部５を横方向に設けることで、従来の縁状飲口１２と同じ上縁９より飲む事ができ、握力が弱い子供及び老人等でも器１を片手で簡単容易に安定して支える事ができ、器１に入れた飲料を器１が傾いて零さず、口唇部をリング状把手部３及び突出片状把手部４及び着脱リング状把手部５が邪魔しないので上縁９より飲むのに支障がなく、飲み易くて違和感がなく、飲む楽しみが増大する効果がある。
【００３３】
また、ガラスコップ等の器１に冷たい飲料を入れて飲む時に、器１の外周壁２に結露が発生するが、外周壁２の縦方向所要位置にリング状把手部３及び突出片状把手部４及び着脱リング状把手部５を横方向に設けることで、このリング状把手部３及び突出片状把手部４及び着脱リング状把手部５により、手に持った器１が滑るのを停止さすストッパーの役目をする為に、器１の外周壁２に発生した結露でも器１を手から滑って落とす事がない著しい効果がある。
【００３４】
請求項２によれば、器１を持つ突出片状把手部４だけを別に製作し、現在使用している器１及び市販されている器１の外周壁２の上縁９より下側の縦方向所要位置に、後から別に製作した突出片状把手部４を横方向等分割に接着剤等で接着して複数設けることにより、器１の外周壁２が垂直又は逆円錐台形状の外周壁２にでも簡単容易に設けることができ、突出片状把手部４だけを別に大量に製作することにより原価の低減が図れ、安価な突出片状把手部４を提供することができ、この安価な突出片状把手部４を各種器１に、簡単容易に設けることができることにより実用価値が大となる。
【００３５】
請求項３によれば、逆円錐台形状器１を持つ着脱リング状把手部５だけを別に製作し、現在使用している逆円錐台形状器１及び市販されている逆円錐台形状器１の外周壁２の上縁９より下側の縦方向所要位置に、この別に製作した着脱リング状把手部５を逆円錐台形状器１に着脱自在に横方向に設けることができ、着脱リング状把手部５だけを大量に製作することにより原価の低減が図れ、安価な着脱リング状把手部５を提供することができことにより初期の目的が達成できる。
【００３６】
また、逆円錐台形状器１においては着脱リング状把手部５を着脱自在に設けることができ、逆円錐台形状器１に取り付けた着脱リング状把手部５の取り外しが簡単容易な為に、逆円錐台形状器１より着脱リング状把手部５を取り外すと、逆円錐台形状器１は重ねて収納することが可能となる。
【００３７】
請求項４によれば、リング状把手部３及び突出片状把手部４及び着脱リング状把手部５の把手部上部６に、下唇位置ガイド７と把手部飲口８を設けることで、器１の飲料を飲む時に下唇を下唇位置ガイド７に押し当て、一方の上唇を把手部飲口８に軽く載せた状態で、上唇中央部を少し開けてから器１を傾けると、上唇中央部分の隙間形状の大きさで口腔内に流出する飲料を把手部飲口８より飲み、一口飲み終ると上唇中央部分を把手部飲口８に軽く押し当てた状態で閉じ、傾けた器１をゆっくりと飲む前の立てた状態に戻す時に、下唇は下唇位置ガイド７にゆっくりと接触しながら引き離されることにより、下唇を下唇位置ガイド７にできるだけ多くゆっくりと接触させ、触圧覚により感覚を高めて感触を楽しむことができ、一方の上唇も把手部飲口８にゆっくりと接触しながら引き離され、上唇を把手部飲口８にできるだけ多くゆっくりと接触させ、触圧覚により感覚を高めて感触を楽しむことができ、一口飲む毎に下唇が下唇位置ガイド７に、上唇が把手部飲口８に接触することにより触圧覚により感触を楽しみ、下唇と上唇中央部分を離した後にも余韻の様に感触が残る等、飲料を楽しく飲む事が体感することができる画期的効果となる把手部を提供することができる。
【００３８】
また、把手部飲口８は器１の上縁９と把手部飲口８に段差部分が無いので、把手部飲口８に上唇を押し付けても違和感が無く、把手部飲口８は器１の外周壁２の上部に設けられ、器１の上部は開放状態で有ることにより、器１の内部の洗浄が容易にできる利点がある。
【００３９】
また、出願番号特願２００８−１９０３０２に記載された紐状の口唇部位置ガイドは、飲口に下唇状に装設されている為に、下唇が口唇部位置ガイドに接触する部分が少ないが、本発明の下唇位置ガイド７は把手部飲口８の裏側に把手部飲口８と一体化された面状で設けられており、下唇が下唇位置ガイド７に接触する部分が多く、飲料を一口飲み器１より下唇を離す時にもゆっくりと長く、下唇が下唇位置ガイド７に接触することが容易で下唇の接触覚がより多くなり、感覚を一段と高め下唇を離した後も感触が残る様が体感できる画期的効果となる。
【００４０】
請求項５によれば、リング状把手部３及び突出片状把手部４及び着脱リング状把手部５の把手部上部６に、形状の異なる下唇位置ガイド７と形状の異なる把手部飲口８を複数組み合わせて設けることで、器１の飲料を一口飲む毎に飲口を変えて飲むと、下唇が色々な変化に富んだ形状の異なる下唇位置ガイド７の下唇位置ガイド平面状７ａと下唇位置ガイド縦筋状７ｂと下唇位置ガイド逆八筋状７ｃと下唇位置ガイド横筋状７ｄに接触することができ、接触する下唇の感触による接触覚を色々と比べることが可能となり、特に飲料を一口飲み器１より下唇を離す時にゆっくりと下唇が形状の異なる下唇位置ガイド７に接触させることができ、触圧覚により感覚を一段と高め、一口飲む毎に触圧覚により色々な変化に富んだ感触を楽しみながら余韻の様に後まで感触が残る等、飲料を楽しく飲む事が体感でき、特に嗜好品である日本茶、紅茶、コーヒー、アルコール飲料等を味わいながら色々な変化に富んだ楽しい飲み方ができる等の多数の効果を奏する。
【００４１】
請求項５によれば、リング状把手部３及び突出片状把手部４及び着脱リング状把手部５の把手部上部６に、形状の異なる把手部飲口８を複数組み合わせて設けることで、器１の飲料を一口飲む毎に飲口を変えて飲むと、上唇が色々な変化に富んだ形状の異なる把手部飲口８の把手部飲口平面状８ａと把手部飲口縦筋状８ｂと把手部飲口逆八筋状８ｃと把手部飲口横筋状８ｄに接触することができ、接触する上唇の感触による接触覚を色々と比べることが可能となり、特に飲料を一口飲み器１より上唇を離す時にもゆっくりと上唇が形状の異なる把手部飲口８に接触させることができ、触圧覚により感覚を一段と高め、一口飲む毎に上唇中央部分にも触圧覚により色々な変化に富んだ感触を楽しみながら余韻の様に後まで感触が残る等、飲料を楽しく飲む事が体感でき、特に嗜好品である日本茶、紅茶、コーヒー、アルコール飲料等を味わいながら色々な変化に富んだ楽しい飲み方ができる等の多数の効果を奏する。
【００４２】
請求項６によれば、下唇位置ガイド７と区分飲口１３を器１の大きさ等により飲口区分切欠部１１で所要の複数に区分することで、下唇は下唇位置ガイド７に一層押し当て易くなり、下唇を下唇位置ガイド７に多く接触することができ、特に上唇が区分飲口１３の奥の方まで深く銜える事が容易となり、上唇中央部分も区分飲口１３の奥の方まで簡単容易に多く接触することが可能となる著しい効果がある。
【００４３】
また、器１を飲口区分切欠部１１で所要の複数に区分した区分飲口１３を器１に設けることにより、器１の飲料を飲む時に下唇を下唇位置ガイド７に押し当て、一方の上唇の両端を飲口区分切欠部１１に入れて軽く押し付けた状態で、上唇中央部を少し開けてから器１を傾けると、上唇中央部分の隙間形状の大きさで口腔内に流出する飲料を区分飲口１３より飲み、一口飲み終ると上唇中央部分を区分飲口１３に軽く押し当てた状態で閉じ、傾けた器１をゆっくりと飲む前の立てた状態に戻す時に、下唇は下唇位置ガイド７にゆっくりと接触しながら引き離されることにより、下唇を下唇位置ガイド７にできるだけ多くゆっくりと接触させ、触圧覚により感覚を高めて感触を楽しむことができ、一方の上唇も区分飲口１３にゆっくりと接触しながら引き離され、上唇を区分飲口１３にできるだけ多くゆっくりと接触させ、触圧覚により感覚を高めて感触を楽しむことができ、一口飲む毎に下唇が下唇位置ガイド７に、上唇が区分飲口１３に接触することにより触圧覚により感触を楽しみ、下唇と上唇中央部分を離した後にも余韻の様に感触が残る等、飲料を楽しく飲む事が体感することができる画期的効果となる器を提供することができる。
【００４４】
また、複数の区分飲口１３は器１の外周壁２の上部に設けられ、器１の上部は開放状態で有ることにより、器１の内部の洗浄が容易にできる利点がある。
【００４５】
また、出願番号特願２００８−１９０３０２に記載された紐状の口唇部位置ガイドは、飲口に下唇状に装設されている為に、下唇が口唇部位置ガイドに接触する部分が少ないが、本発明の下唇位置ガイド７は区分飲口１３の裏側に区分飲口１３と一体化された面状で設けられており、下唇が下唇位置ガイド７に接触する部分が多く、飲料を一口飲み器１より下唇を離す時にもゆっくりと長く、下唇が下唇位置ガイド７に接触することが容易で下唇の接触覚がより多くなり、感覚を一段と高め下唇を離した後も感
触が残る様が体感できる画期的効果となり、［００１６］に記載の事項を容易に解決することができ、実用価値が大となる器１を提供することができる。
【００４６】
請求項７によれば、器(１)を複数に区分した下唇位置ガイド(７)と区分飲口(１３)に、形状の異なる下唇位置ガイド(７)と形状の異なる区分飲口(１３)を複数組み合わせて設けることにより、［００４０］及び［００４１］に記載の多数の効果を奏する。
【００４７】
請求項８によれば、複数の区分飲口１３を設けた器１に、リング状把手部３及び突出片状把手部４及び着脱リング状把手部５を設けることにより、［００３１］及び［００３２］及び［００３３］及び［００３４］及び［００３５］及び［００３６］に記載の多数の効果を奏する。
【００４８】
請求項９によれば、リング状把手部３及び着脱リング状把手部５の把手部上部６に、下唇位置ガイド７と把手部飲口８及び形状の異なる下唇位置ガイド７と形状の異なる把手部飲口８を、器１の大きさ等により飲口区分切欠部１１で所要の複数に区分することで、下唇は下唇位置ガイド７に一層押し当て易くなり、下唇を下唇位置ガイド７に多く接触することができ、特に上唇が把手部飲口８の奥の方まで深く銜える事が容易となり、上唇中央部分も把手部飲口８の奥の方まで簡単容易に多く接触することが可能となる著しい効果と［００４３］及び［００４４］及び［００４５］に記載の多数の利点がある。
【００４９】
本発明は、以上のような効果と利点を有したきわめて優秀な飲料を飲む器１で、リング状把手部３及び突出片状把手部４及び着脱リング状把手部５及び飲口区分切欠部区分１１を、器１に設けることにより器１の付加価値を高めた優れた商品となる。
【発明を実施するための最良の形態】
【００５０】
以下、本発明の実施の形態を図１〜図３０に基づいて説明する。
【００５１】
図１及び図２は本発明の飲料を飲む器１の外周壁２の上縁９より下側で、飲料を飲む口唇部に支障がない最適な縦方向所要位置に、器１を持つリング状把手部３が外周壁２に対して横方向の水平に周設固定し、飲料を飲む位置の縁状飲口１２の一例を示した図１は正面図で、図２は平面図である。
【００５２】
そして、リング状把手部３においては、通常は所要寸法からなる円形の中央部分を、器１の外周壁２の外径形状に合わせて中空部に成形したリング状(円環状とも言う)で、リング状把手部３の内径は器１の外周壁２の外径と同じ大きさからなり、リング状把手部３の外径は器１の大きさ及び使用目的等によるが、通常は外周壁２より外側に３ｍｍ〜２０ｍｍ突出した大きさで、この外周壁２より外側に３ｍｍ〜２０ｍｍ突出した大きさが、器１を持つリング状把手部３の把手部上部６及び下側の支持部１０になり、機能性等を考慮して通常は７ｍｍ位突出した大きさのリング状把手部３を使用する。
【００５３】
また、通常リング状把手部３は器１の使用材質と同じ材質を用いるので、使用材質が金属(ステンレス・アルミ・錫)製の場合には１ｍｍ〜２ｍｍ位の厚さを、ガラス製の場合には２ｍｍ〜５ｍｍ位の厚さを、陶磁器製の場合には３ｍｍ〜８ｍｍ位の厚さを、合成樹脂製の場合には２ｍｍ〜６ｍｍ位の厚さを用いるが、リング状把手部３の強度等も考慮した所要厚さのリング状把手部３を用いる。
【００５４】
また、リング状把手部３は通常円形のリング状を用いるが、四角形リング状及びハ−ト形リング状及び星形リング状を用いることも可能である。
【００５５】
よって、前記したリング状把手部３を器１の外周壁２の上縁９より下側で、飲料を飲む口唇部に支障がない最適な縦方向(上下方向)に、器１の大きさ及び飲み易さ及び器１の持ち易さ等を考慮した上縁９より下側５ｍｍ〜３０ｍｍ位の所要位置に、器１を持つリング状把手部３を外周壁２に対して横方向(水平方向)の水平に周設固定する。
【００５６】
尚、製造方法であるが使用材料等によるが、通常は型を使って器１部分とリング状把手部３部分を一体成型するが、器１部分とリング状把手部３部分を別々に製作して、後から接着して一体化することも可能である。
【００５７】
そして、使用方法としては器１を持つ手(左手又は右手)で器１の外周壁２を親指とその他の指で挟み、親指と人差し指の横側で、リング状把手部３の支持部１０を持ち上げることにより、器１の縦方向を支持するので器１を滑って落とすことがなく、一方の中指と薬指と小指で器１の外周壁２を握り、親指とその他の指(人差指と中指と薬指と小指)で外周壁２を挟み付けることにより、器１の横方向複数個所を安定して支持するので、器１が傾いて飲料を零すことがなく、器１を持つ手の握力が弱い子供及び老人等でも器１を軽く安定させて持つことができ、支持部１０を支持する親指位置の上部である上縁９の縁状飲口１２より、リング状把手部３が下唇に邪魔にならなく、器１の飲料を支障なく飲む事ができる。
【００５８】
次に、図３及び図４は本発明の飲料を飲む器１の外周壁２の上縁９より下側で、飲料を飲む口唇部に支障がない最適な縦方向所要位置に、器１を持つ突出片状把手部４が外周壁２に対して横方向の水平に等間隔で四個突設固着し、飲料を飲む位置の縁状飲口１２の一例を示した図３は正面図で、図４は平面図である。
【００５９】
そして、突出片状把手部４においては、通常は所要寸法からなる突出片状把手部４の内側部分(外周壁２との接着面)を、器１の外周壁２の外径形状に合わせて成形し、突出片状把手部４の大きさは器１の大きさ及び使用目的等によるが、通常は外周壁２より外側に３ｍｍ〜２０ｍｍ突出して、外周壁２の横方向にも３ｍｍ〜２０ｍｍの大きさの突出片からなり、この外周壁２より外側に３ｍｍ〜２０ｍｍと横方向(周壁方向)にも３ｍｍ〜２０ｍｍの大きさで突出した突出片が、器１を持つ突出片状把手部４の把手部上部６及び下側の支持部１０になり、器１の外周壁２の形状及び機能性等を考慮して通常は外側に７ｍｍで横方向に１０ｍｍ位の所要大きさの突出片状把手部４を使用する。
【００６０】
また、通常突出片状把手部４は器１の使用材質と同じ材質又は異なる材質でも用いることができ、突出片状把手部４の使用材質が金属(ステンレス・アルミ・錫)製の場合には１ｍｍ〜２ｍｍ位の厚さを、ガラス製の場合には２ｍｍ〜５ｍｍ位の厚さを、陶磁器製の場合には３ｍｍ〜８ｍｍ位の厚さを、合成樹脂製の場合には２ｍｍ〜６ｍｍ位の厚さを用いるが、突出片状把手部４の強度及び接着面等も考慮した所要厚さの突出片状把手部４を用いる。
【００６１】
また、突出片状把手部４は通常器１の種類と使用目的及び機能性等を考慮した所要形状の四角形状、長方形状、ハ−ト形状、半円形状、逆三角形状、半楕円形状、Ｕ字形状等を適宜選定して用いる。
【００６２】
また、突出片状把手部４を器１の大きさ及び種類等により所要数(２個から６個)を器１に設ける。
【００６３】
よって、前記した突出片状把手部４を器１の外周壁２の上縁９より下側で、飲料を飲む口唇部に支障がない最適な縦方向に、器１の大きさ及び飲み易さ及び器１の持ち易さ等を考慮した上縁９より下側５ｍｍ〜３０ｍｍ位の所要位置に、器１の大きさ及び種類等により所要数(複数)の突出片状把手部４を、外周壁２に対して横方向の等間隔に、器１及び突出片状把手部４の使用材質及び耐水性、安全性、耐洗剤性、耐久性等を考慮した最適な接着剤で外周壁２に対して水平に突設固着する。
【００６４】
尚、突出片状把手部４の製造方法であるが、通常は型を使って突出片状把手部４を成型するが、レーザ加工等により突出片状把手部４を成形することも可能であり、型を使って器１部分と突出片状把手部４部分を一体成型することも可能である。
【００６５】
そして、突出片状把手部４を等間隔で四個突設固着した器１の使用方法としては、器１を持つ手(右手の場合)で器１の外周壁２を親指とその他の指で挟み、親指の横側を手前の突出片状把手部４の支持部１０に、次に親指と人差指の股部分を右側の突出片状把手部４の支持部１０に、そして人差し指の横側を対向した突出片状把手部４の支持部１０に押し当てて持ち上げることにより、器１の縦方向を支持するので器１を滑って落とすことがなく、他方の中指と薬指と小指で器１の外周壁２を握り、親指とその他の指(人差指と中指と薬指と小指)で外周壁２を挟み付けることにより、器１の横方向複数個所を安定して支持するので器１が傾いて飲料を零すことがなく、器１を持つ手の握力が弱い子供及び老人等でも器１を軽く安定させて持つことができ、支持部１０を支持する親指位置の上部である上縁９の縁状飲口１２より、突出片状把手部４が下唇に邪魔にならなく、器１の飲料を支障なく飲む事ができる。
【００６６】
次に、図５及び図６は本発明の飲料を飲む器１の外周壁２の上縁９より下側で、飲料を飲む口唇部に支障がない最適な縦方向所要位置に、器１を持つ着脱リング状把手部５が外周壁２に対して横方向の水平に挿着して周設し、飲料を飲む位置の縁状飲口１２の一例を示し、矢印で着脱リング状把手部５を外周壁２より着脱する着脱方向を示した図５は正面図で、図６は平面図である。
【００６７】
そして、着脱リング状把手部５においては、通常は所要寸法からなる円形の中央部分を、外周壁２に対して横方向の水平に挿着して周設する為に、器１の外周壁２の着脱リング状把手部５を挿着する位置の外径形状に合わせて中空部に成形したリング状で、着脱リング状把手部５の内径は器１の外周壁２の着脱リング状把手部５を挿着する位置の外径と同じ大きさからなり、着脱リング状把手部５の外径は器１の大きさ及び使用目的等によるが、通常は外周壁２より外側に３ｍｍ〜２０ｍｍ突出した大きさで、この外周壁２より外側に３ｍｍ〜２０ｍｍ突出した大きさが器１を持つ着脱リング状把手部５の把手部上部６及び下側の支持部１０になり、機能性等を考慮して通常は７ｍｍ位突出した大きさの着脱リング状把手部５を使用する。
【００６８】
また、通常着脱リング状把手部５は器１の外周壁２に傷を付けない為に、器１の使用材質より少し軟らかく、多少柔軟性の有るある材質を用い、木質板材製の場合には３ｍｍ〜６ｍｍ位の厚さを、板紙製の場合には３ｍｍ〜６ｍｍ位の厚さを、シリコ−ンゴム製の場合には２ｍｍ〜５ｍｍ位の厚さを、合成樹脂製の場合には２ｍｍ〜６ｍｍ位の厚さを用いるが、着脱リング状把手部５の強度等も考慮した所要厚さの着脱リング状把手部５を、器１の使用材質に対応した最適な材質の着脱リング状把手部５を用いる。
【００６９】
また、着脱リング状把手部５は通常円形のリング状を用いるが、四角形リング状及びハ−ト形リング状及び星形リング状を用いることも可能である。
【００７０】
よって、前記した着脱リング状把手部５を器１の外周壁２の上縁９より下側で、飲料を飲む口唇部に支障がない最適な縦方向(上下方向)に、器１の大きさ及び飲み易さ及び器１の持ち易さ等を考慮した上縁９より下側５ｍｍ〜３０ｍｍ位の所要位置に、器１を持つ着脱リング状把手部５を外周壁２に対して横方向(水平方向)の水平に挿着して周設する。
【００７１】
尚、製造方法であるが通常は各材質の板材を、型を使ってプレスで打ち抜いて着脱リング状把手部５を成形するが、合成樹脂製の場合には型を使って着脱リング状把手部５を成型することも可能で、レーザ加工により成形することも可能であり、合成樹脂製の場合には、健康への安全性を考慮した合成樹脂で成型する。
【００７２】
そして、使用方法としては着脱リング状把手部５の中空部に器１を底部より挿入し、飲み易さ及び器１の持ち易さ等を考慮した上縁９より下側５ｍｍ〜３０ｍｍ位の所要位置に、器１を持つ着脱リング状把手部５を外周壁２に対して横方向(水平方向)の水平に挿着して周設し、この器１を持つ手(左手又は右手)で器１の外周壁２を親指とその他の指で挟み、親指と人差し指の横側で、着脱リング状把手部５の支持部１０を持ち上げることにより、器１の縦方向を支持するので器１を滑って落とすことがなく、他方の中指と薬指と小指で器１の外周壁２を握り、親指とその他の指(人差指と中指と薬指と小指)で外周壁２を挟み付けることにより、器１の横方向複数個所を安定して支持するので器１が傾いて飲料を零すことがなく、器１を持つ手の握力が弱い子供及び老人等でも器１を軽く安定させて持つことができ、支持部１０を支持する親指位置の上部である上縁９の縁状飲口１２より、着脱リング状把手部５が下唇に邪魔にならなく、器１の飲料を支障なく飲む事ができ、飲み終ると着脱リング状把手部５の把手部上部６を指で押し下げて、器１より着脱リング状把手部５を取り外す事ができる。
【００７３】
次に、図７及び図８及び図９は、リング状把手部３の把手部上部６に下唇位置ガイド７の反対側(上面側)に一体化して設けた把手部飲口８を、飲口区分切欠部１１で所要な大きさの四等分割に四区分し、器１の外側に向かって所要角度の上向きで把手部上部６に突設固定し、この把手部上部６に一体化の下唇位置ガイド７と把手部飲口８を突設固定したリング状把手部３を、器１の飲料を飲む口唇部に支障がない最適な外周壁２の縦方向上部位置に、リング状把手部３を外周壁２に対して横方向の水平に周設固定した一例を示した図７は正面図で、図８は平面図で、図９は図８のＡ―Ａ線の断面図である。
【００７４】
そして、［００５１］及び［００５２］及び［００５３］及び［００５４］及び［００５５］に記載のリング状把手部３の把手部上部６に、下唇位置ガイド７の反対側に一体化して設けた把手部飲口８を、器１の大きさ及びリング状把手部３の大きさ及び飲み易さ及び口唇部の銜え易さ等により、飲口区分切欠部１１で所要な大きさの等分割で、通常は複数の２〜６区分し、器１の外側に向かって、器１の大きさ及び飲み易さ及び口唇部の銜え易さ等を考慮した通常所要角度が上向きの垂直から把手部上部６方向に傾斜４５度位で、器１の大きさ及び飲み易さ及び口唇部の銜え易さ等を考慮した所要高さで、通常は１０ｍｍ〜４０ｍｍ位の把手部飲口８を把手部上部６に突設固定し、このリング状把手部３を器１の飲料を飲む口唇部に支障がない最適な外周壁２の縦方向上部位置に、通常は把手部飲口８の下側である取付け部を、図９に示す器１の上縁９と段差が無い水平に上縁９に沿って周設固定するが、把手部飲口８の取付け部を上縁９の上に周設固定することも可能であり、このリング状把手部３を外周壁２に対して横方向の水平に周設固定する。
【００７５】
また、把手部飲口８の厚さは、飲み易さ及び口唇部の銜え易さ及び口唇部に不快感を与えずまた傷付けない安全性等を考慮した所要厚さで、使用材質が金属(ステンレス・アルミ・錫)製の場合には１ｍｍ〜２ｍｍ位の厚さを、ガラス製の場合には３ｍｍ〜８ｍｍ位の厚さを、陶磁器製の場合には３ｍｍ〜１０ｍｍ位の厚さを、合成樹脂製の場合には２ｍｍ〜８ｍｍ位の厚さで、通常は把手部飲口８の下側である取付け部分を厚く、先端部分を薄くした下唇位置ガイド７と把手部飲口８からなり、図９に示す把手部上部６に所要角度の上向きで上縁９に沿って周設固定し、図９では把手部上部６の外側端と下唇位置ガイド７の下側端には隙間があるが、把手部上部６の外側端に下唇位置ガイド７の下側端を合せ、隙間を無くして設けことも可能であり、口唇部に傷を付けない様に角の部分は丸く面取りした一体化の下唇位置ガイド７と把手部飲口８を用いる。
【００７６】
そして、上記の一体化した下唇位置ガイド７と把手部飲口８は、通常所要角度が上向きの垂直から把手部上部６方向に傾斜４５度位を用い、この所要角度の下唇位置ガイド７と把手部飲口８を、器１の大きさ等により飲口区分切欠部１１で所要な大きさの等分割で、複数の２区分〜６区分した把手部飲口８を用いる。
【００７７】
尚、飲口区分切欠部１１を設けない縁状飲口１２から飲む場合には、下唇は下唇位置ガイド７に押し当てるので接触するが、上唇は両端部分を上縁９に軽く載せるために、上唇中央部分は把手部飲口８に少ししか接触しない状態であるが、飲口区分切欠部１１を設けることにより、口唇部の両端部分が飲口区分切欠部１１の内に入ることにより、下唇は下唇位置ガイド７に一層押し当て易くなり、下唇を下唇位置ガイド７に多く接触することができ、特に上唇は把手部飲口８の奥の方まで深く銜える事が容易となり、上唇中央部分も把手部飲口８の奥の方まで簡単、容易に多く接触することが可能となる。
【００７８】
また、飲口区分切欠部１１の切欠深さであるが、切欠深さが深くて切欠広さが広い程、口唇部の両端部分を飲口区分切欠部１１に深く入れることができ、器１の大きさ及び飲み易さ及び口唇部の銜え易さ及び把手部飲口８の高さ等を考慮した所要切欠深さと所要切欠広さからなる通常Ｖ形状切欠部を用いるが、半円形状切欠部及びＵ形状切欠部を用いることも可能である。
【００７９】
尚、製造方法であるが使用材質等にもよるが、通常は型を使って器１部分と把手部飲口８部分とリング状把手部３部分を一体成型するが、器１部分と把手部飲口８部分とリング状把手部３部分を別々に製作して、後から接着して一体化することも可能である。
【００８０】
そして、使用方法としては［００５７］に記載した支持部１０を支持する親指位置の上部で、飲口区分切欠部１１で区分した把手部飲口８より飲む事ができる。
【００８１】
次に、図１０及び図１１及び図１２は、突出片状把手部４の把手部上部６に下唇位置ガイド７の反対側に一体化して設けた把手部飲口８を、器１の外側に向かって所要角度の上向きで把手部上部６に突設固定し、この把手部上部６に一体化した下唇位置ガイド７と把手部飲口８を突設固定した突出片状把手部４を、器１の飲料を飲む口唇部に支障がない最適な外周壁２の縦方向上部位置に、突出片状把手部４を外周壁２に対して横方向の水平に四個突設固着した一例を示した図１０は正面図で、図１１は平面図で、図１２は図１１のＡ−Ａ線の断面図である。
【００８２】
そして、［００５８］及び［００５９］及び［００６０］及び［００６１］及び［００６２］及び［００６３］に記載の突出片状把手部４の把手部上部６に、下唇位置ガイド７の反対側に一体化して設けた把手部飲口８を、器１の大きさ及び突出片状把手部４及び飲み易さ及び口唇部の銜え易さ等により、所要な大きさの把手部飲口８を器１の外側に向かって、器１の大きさ及び飲み易さ及び口唇部の銜え易さ等を考慮した通常所要角度が上向きの垂直から把手部上部６方向に傾斜４５度位で、器１の大きさ及び飲み易さ及び口唇部の銜え易さ等を考慮した所要高さで、通常は１０ｍｍ〜４０ｍｍ位の把手部飲口８を把手部上部６に突設固定し、この突出片状把手部４を器１の飲料を飲む口唇部に支障がない最適な外周壁２の縦方向上部位置に、通常は把手部飲口８の下側である取付け部を、図１２に示す器１の上縁９と段差が無い水平に上縁９に沿って突設固定するが、把手部飲口８の取付け部を上縁９の上に突設固定することも可能であり、この突出片状把手部４を外周壁２に対して横方向の水平に突設固定する。
【００８３】
また、通常把手部飲口８は突出片状把手部４の使用材質と同じ材質を用い、把手部飲口８の厚さは、飲み易さ及び口唇部の銜え易さ及び口唇部に不快感を与えずまた傷付けない安全性等を考慮した所要厚さで、使用材質が金属(ステンレス・アルミ・錫)製の場合には１ｍｍ〜２ｍｍ位の厚さを、ガラス製の場合には３ｍｍ〜８ｍｍ位の厚さを、陶磁器製の場合には３ｍｍ〜１０ｍｍ位の厚さを、合成樹脂製の場合には２ｍｍ〜８ｍｍ位の厚さで、通常は把手部飲口８の下側である取付け部分を厚く、先端部分を薄くした下唇位置ガイド７と把手部飲口８からなり、図１２に示す把手部上部６に所要角度の上向きで上縁９に沿って突設固定し、図１２では把手部上部６の外側端と下唇位置ガイド７の下側端には隙間があるが、把手部上部６の外側端に下唇位置ガイド７の下側端を合せて隙間を無くして設けことも可能であり、口唇部に傷を付けない様に、角の部分は丸く面取りした一体化の下唇位置ガイド７と把手部飲口８を用いる。
【００８４】
そして、上記の一体化した下唇位置ガイド７と把手部飲口８は、通常所要角度が上向きの垂直から把手部上部６方向に傾斜４５度位を用い、把手部飲口８は通常器１の形状及び突出片状把手部４の形状等を考慮した所要形状の四角形状、長方形状、逆ハ−ト形状、半円形状、三角形状、半楕円形状、逆Ｕ字形状等を適宜選定して用いる。
【００８５】
尚、製造方法であるが使用材質等にもよるが、通常は型を使って突出片状把手部４部分と把手部飲口８部分を一体成型するが、突出片状把手部４部分と把手部飲口８部分を別々に製作して、後から接着して一体化することも可能であり、型を使って器１部分と把手部飲口８部分と突出片状把手部４部分を一体成型することも可能である。
【００８６】
そして、使用方法としては［００６５］に記載した支持部１０を支持する親指位置の上部の把手部飲口８より飲む事ができる。
【００８７】
次に、図１３及び図１４及び図１５は、着脱リング状把手部５の把手部上部６に下唇位置ガイド７の反対側に一体化して設けた把手部飲口８を、飲口区分切欠部１１で所要な大きさの四等分割に四区分し、逆円錐台形状器１の外側に向かって所要角度の上向きで把手部上部６に突設固定し、この把手部上部６に一体化した下唇位置ガイド７と把手部飲口８を突設固定した着脱リング状把手部５を、器１の飲料を飲む口唇部に支障がない最適な外周壁２の縦方向上部位置に、着脱ング状把手部５を外周壁２に対して横方向の水平に挿着して周設した一例を示し、矢印で把手部上部６に下唇位置ガイド７と把手部飲口８を突設固定した着脱リング状把手部５を外周壁２より着脱する着脱方向を示した図１３は正面図で、図１４は平面図で、図１５は図１４のＡ−Ａ線の断面図である。
【００８８】
そして、［００６６］及び［００６７］及び［００６８］及び［００６９］及び［００７０］に記載の着脱リング状把手部５の把手部上部６に、下唇位置ガイド７の反対側に一体化して設けた把手部飲口８を、器１の大きさ及び着脱リング状把手部５の大きさ及び飲み易さ及び口唇部の銜え易さ等により、飲口区分切欠部１１で所要な大きさの等分割で、通常は複数の２〜６区分し、器１の外側に向かって、器１の大きさ及び飲み易さ及び口唇部の銜え易さ等を考慮した通常所要角度が上向きの垂直から把手部上部６方向に傾斜４５度位で、器１の大きさ及び飲み易さ及び口唇部の銜え易さ等を考慮した所要高さで、通常は１０ｍｍ〜４０ｍｍ位の把手部飲口８を把手部上部６に突設固定し、このリング状把手部３を器１の飲料を飲む口唇部に支障がない最適な外周壁２の縦方向上部位置に、通常は把手部飲口８の下側である取付け部を、図１５に示す器１の上縁９と段差が無い水平に上縁９に沿って挿着し、この着脱リング状把手部５を外周壁２に対して横方向の水平に挿着して周設する。
【００８９】
また、上記の一体化した下唇位置ガイド７と把手部飲口８は、［００７６］及び［００７７］及び［００７８］に記載の飲口区分切欠部１１で、所要大きさの等分割で複数の２区分〜６区分した把手部飲口８を用いる。
【００９０】
尚、製造方法であるが使用材質等にもよるが、通常は型を使って着脱リング状把手部５部分と把手部飲口８部分を一体成型するが、着脱リング状把手部５部分と把手部飲口８部分を別々に製作して、後から接着して一体化することも可能である。
【００９１】
そして、使用方法としては［００７２］に記載した支持部１０を支持する親指位置の上部で、飲口区分切欠部１１で区分した把手部飲口８より飲む事ができる。
【００９２】
次に、図１６は図７に示すリング状把手部３の把手部上部６に、飲口区分切欠部１１で所要な大きさの四等分割に四区分した形状の異なる下唇位置ガイド７の下唇位置ガイド平面状７ａと下唇位置ガイド縦筋状７ｂと下唇位置ガイド逆八筋状７ｃと下唇位置ガイド横筋状７ｄの一例を組み合わせて設けたリング状把手部３を、外周壁２に対して横方向の水平に周設固定し、この形状の異なる下唇位置ガイド７を、図７に示すＢ−Ｂ線で切断した断面を下から視た底面図である。
【００９３】
そして、［００７３］及び［００７４］及び［００７５］及び［００７６］及び［００７７］及び［００７８］及び［００７９］及び［００８０］に記載のリング状把手部３の把手部上部６に、飲口区分切欠部１１で所要な大きさの四等分割に四区分した形状の異なる下唇位置ガイド７の下唇位置ガイド平面状７ａと下唇位置ガイド縦筋状７ｂと下唇位置ガイド逆八筋状７ｃと下唇位置ガイド横筋状７ｄの一例を組み合わせて設けた下唇位置ガイド平面状７ａは、通常下唇に不快感を与えない平滑な面状であるが、下唇位置ガイド平面状７ａの先端方向(縦方向)又は横方向に湾曲するとか、少し波打つウエーブ状の平滑な面状も使用可能である。
【００９４】
また、下唇位置ガイド縦筋状７ｂは、下唇に不快感を与えない滑らかな断面形状が半径１ｍｍ〜５ｍｍ位の半円形状からなる所要な突起縦筋状で、通常この所要な縦筋状を１ｍｍ〜５ｍｍ位の所要な等間隔で下唇位置ガイド７に設けるが、この所要な突起縦筋状を縦溝状にして１ｍｍ〜５ｍｍ位の所要な等間隔で設けることも可能である。
【００９５】
また、下唇位置ガイド逆八筋状７ｃは、下唇に不快感を与えない滑らかな断面形状が半径１ｍｍ〜５ｍｍ位の半円形状からなる所要な突起筋状を、外周壁２から下唇位置ガイド逆八筋状７ｃの先端方向(縦方向)に向かって段々狭くなり、先端部分で飲料の流出を良くする為に、５ｍｍ〜１０ｍｍ位の所要の間隔を開けた所要な突起筋状を下唇位置ガイド７に設けるが、この所要な突起筋状を溝状にして設けることも可能である。
【００９６】
また、下唇位置ガイド横筋状７ｄは、下唇に不快感を与えない滑らかな断面形状が半径１ｍｍ〜５ｍｍ位の半円形状からなる所要な突起横筋状で、通常この所要な横筋状を１ｍｍ〜５ｍｍ位の所要な等間隔で、中央部分で飲料の流出を良くする為に、５ｍｍ〜１０ｍｍ位の所要の間隔を開けた所要な横筋状を下唇位置ガイド７に設けるが、この所要な突起横筋状を横溝状にして１ｍｍ〜５ｍｍ位の所要な等間隔で設けることも可能である。
【００９７】
また、形状の異なる下唇位置ガイド７として、図２９に示す下唇位置ガイド一突起状７ｅと下唇位置ガイド二突起状７ｆと下唇位置ガイド三突起状７ｇとを組み合わせて用いることも好適な対応である。
【００９８】
尚、製造方法であるが使用材質等にもよるが、通常は型を使って形状の異なる下唇位置ガイド７と形状の異なる把手部飲口８を一体成型するが、形成及び削成することも可能である。
【００９９】
次に、図１７は図８に示すリング状把手部３の把手部上部６に、飲口区分切欠部１１で所要な大きさの四等分割に四区分した形状の異なる把手部飲口８の把手部飲口平面状８ａと把手部飲口縦筋状８ｂと把手部飲口逆八筋状８ｃと把手部飲口横筋状８ｄの一例を組み合わせて設けたリング状把手部３を、外周壁２に対して横方向の水平に周設固定し、この形状の異なる把手部飲口８を上から視た平面図である。
【０１００】
そして、［００７３］及び［００７４］及び［００７５］及び［００７６］及び［００７７］及び［００７８］及び［００７９］及び［００８０］に記載のリング状把手部３の把手部上部６に、飲口区分切欠部１１で所要な大きさの四等分割に四区分した形状の異なる把手部飲口８の把手部飲口平面状８ａと把手部飲口縦筋状８ｂと把手部飲口逆八筋状８ｃと把手部飲口横筋状８ｄの一例を組み合わせて設けた把手部飲口平面状８ａは、通常上唇に不快感を与えない平滑な面状であるが、把手部飲口平面状８ａの先端方向(縦方向)又は横方向に湾曲するとか、少し波打つウエーブ状の平滑な面状も使用可能である。
【０１０１】
また、把手部飲口縦筋状８ｂは、上唇に不快感を与えない滑らかな断面形状が半径１ｍｍ〜５ｍｍ位の半円形状からなる所要な突起縦筋状で、通常この所要な縦筋状を１ｍｍ〜５ｍｍ位の所要な等間隔で把手部飲口８に設けるが、この所要な突起縦筋状を縦溝状にして１ｍｍ〜５ｍｍ位の所要な等間隔で設けることも可能である。
【０１０２】
また、把手部飲口逆八筋状８ｃは、上唇に不快感を与えない滑らかな断面形状が半径１ｍｍ〜５ｍｍ位の半円形状からなる所要な突起筋状を、外周壁２から把手部飲口逆八筋状８ｃの先端方向(縦方向)に向かって段々狭くなり、先端部分で飲料の流出を良くする為に、５ｍｍ〜１０ｍｍ位の所要の間隔を開けた所要な突起筋状を把手部飲口８に設けるが、この所要な突起筋状を溝状にして設けることも可能である。
【０１０３】
また、把手部飲口横筋状８ｄは、上唇に不快感を与えない滑らかな断面形状が半径１ｍｍ〜５ｍｍ位の半円形状からなる所要な突起横筋状で、通常この所要な横筋状を１ｍｍ〜５ｍｍ位の所要な等間隔で、中央部分で飲料の流出を良くする為に、５ｍｍ〜１０ｍｍ位の所要の間隔を開けた所要な横筋状を把手部飲口８に設けるが、この所要な突起横筋状を横溝状にして１ｍｍ〜５ｍｍ位の所要な等間隔で設けることも可能である。
【０１０４】
また、形状の異なる把手部飲口８として、図３０に示す区分飲口一突起状１３ｂと区分飲口二突起状１３ｃと区分飲口三突起状１３ｄとを組み合わせて用いることも好適な対応である。
【０１０５】
尚、製造方法であるが使用材質等にもよるが、通常は型を使って形状の異なる把手部飲口８と形状の異なる下唇位置ガイド７を一体成型するが、形成及び削成することも可能である。
【０１０６】
次に、図１８は図１０に示す突出片状把手部４の把手部上部６に、所要な大きさの形状の異なる下唇位置ガイド７の下唇位置ガイド平面状７ａと下唇位置ガイド縦筋状７ｂと下唇位置ガイド逆八筋状７ｃと下唇位置ガイド横筋状７ｄの一例を組み合わせて設けた突出片状把手部４を、外周壁２の縦方向上部位置に、突出片状把手部４を外周壁２に対して横方向の水平に四個突設固着し、この形状の異なる下唇位置ガイド７を、図１０に示すＢ−Ｂ線で切断した断面を下から視た底面図である。
【０１０７】
そして、［００８１］及び［００８２］及び［００８３］及び［００８４］及び［００８５］及び［００８６］ に記載の突出片状把手部４の把手部上部６に、［００９３］及び［００９４］及び［００９５］及び［００９６］及び［００９７］及び［００９８］に記載した形状の異なる下唇位置ガイド７の下唇位置ガイド平面状７ａと下唇位置ガイド縦筋状７ｂと下唇位置ガイド逆八筋状７ｃと下唇位置ガイド横筋状７ｄの一例を組み合わせて設ける。
【０１０８】
次に、図１９は図１１に示す突出片状把手部４の把手部上部６に、所要な大きさの形状の異なる把手部飲口８の把手部飲口平面状８ａと把手部飲口縦筋状８ｂと把手部飲口逆八筋状８ｃと把手部飲口横筋状８ｄの一例を組み合わせて設けた突出片状把手部４を、外周壁２の縦方向上部位置に、突出片状把手部４を外周壁２に対して横方向の水平に四個突設固着し、この形状の異なる把手部飲口８を上から視た平面図である。
【０１０９】
そして、［００８１］及び［００８２］及び［００８３］及び［００８４］及び［００８５］及び［００８６］に記載のリング状把手部３の把手部上部６に、［０１００］及び［０１０１］及び［０１０２］及び［０１０３］及び［０１０４］及び［０１０５］に記載した形状の異なる把手部飲口８の把手部飲口平面状８ａと把手部飲口縦筋状８ｂと把手部飲口逆八筋状８ｃと把手部飲口横筋状８ｄの一例を組み合わせて設ける。
【０１１０】
それと、図１３に示す着脱リング状把手部５の把手部上部６に、飲口区分切欠部１１で所要な大きさの四等分割に四区分した下唇位置ガイド７に、図１６に示して［００９３］及び［００９４］及び［００９５］及び［００９６］及び［００９７］及び［００９８］に記載した形状の異なる下唇位置ガイド７の下唇位置ガイド平面状７ａと下唇位置ガイド縦筋状７ｂと下唇位置ガイド逆八筋状７ｃと下唇位置ガイド横筋状７ｄの一例を組み合わせて設ける。
【０１１１】
また、図１４に示す着脱リング状把手部５の把手部上部６に、飲口区分切欠部１１で所要な大きさの四等分割に四区分した把手部飲口８に、図１７に示して［０１００］及び［０１０１］及び［０１０２］及び［０１０３］及び［０１０４］及び［０１０５］に記載した形状の異なる把手部飲口８の把手部飲口平面状８ａと把手部飲口縦筋状８ｂと把手部飲口逆八筋状８ｃと把手部飲口横筋状８ｄの一例を組み合わせて設ける。
【０１１２】
次に、図２０及び図２１及び図２２は、器１の上縁９より下側所要位置までの外周壁２を、飲口区分切欠部１１で所要な大きさの四等分割に四区分して下唇位置ガイド７と区分飲口１３を設けた器１に、リング状把手部３を器１の飲料を飲む口唇部に支障がない最適な外周壁２の縦方向所要位置に、リング状把手部３を外周壁２に対して横方向の水平に周設固定した一例を示した図２０は正面図で、図２１は平面図で、図２２は図２１のＡ―Ａ線の断面図である。
【０１１３】
そして、［００４２］及び［００４３］及び［００４４］及び［００４５］に記載の飲口区分切欠部１１を設けた器１に、［００５２］及び［００５３］及び［００５４］及び［００５５］及び［００５６］に記載のリング状把手部３を器１の飲料を飲む口唇部に支障がない最適な外周壁２の縦方向所要位置に、通常は図２０に示す飲口区分切欠部１１の底部より５ｍｍ〜１０ｍｍ位の下側で、飲口区分切欠部１１の底部と水平に外周壁２に沿って横方向に周設固定するが、飲口区分切欠部１１の底部に把手部上部６を合わせて水平に外周壁２に沿って横方向に周設固定することも可能である。
【０１１４】
また、下唇位置ガイド７と一体化した区分飲口１３の厚さは、飲み易さ及び口唇部の銜え易さ及び口唇部に不快感を与えずまた傷付けない安全性等を考慮した所要厚さで、使用材質が金属(ステンレス・アルミ・錫)製の場合には１ｍｍ〜２ｍｍ位の厚さを、ガラス製の場合には３ｍｍ〜８ｍｍ位の厚さを、陶磁器製の場合には３ｍｍ〜１０ｍｍ位の厚さを、合成樹脂製の場合には２ｍｍ〜８ｍｍ位の厚さで、通常は区分飲口１３の下側部分を厚く、先端部分を薄くした下唇位置ガイド７と区分飲口１３からなり、口唇部に傷を付けない様に、角の部分は丸く面取りした一体化の下唇位置ガイド７と区分飲口１３を用いる。
【０１１５】
また、上記の一体化した下唇位置ガイド７と区分飲口１３は、通常所要角度の上向き角度が垂直から外側方向に傾斜４５度位を用い、この所要角度の下唇位置ガイド７と区分飲口１３を、器１の大きさ等により飲口区分切欠部１１で所要な大きさの等分割で、通常複数の２区分〜６区分した区分飲口１３を用いる。
【０１１６】
尚、飲口区分切欠部１１を設けない縁状飲口１２から飲む場合には、下唇は下唇位置ガイド７に押し当てるので接触するが、上唇は両端部分を上縁９に軽く載せるために、上唇中央部分は縁状飲口１２に少ししか接触しない状態であるが、飲口区分切欠部１１を設けることにより、口唇部の両端部分が飲口区分切欠部１１の内に入ることにより、下唇は下唇位置ガイド７に一層押し当て易くなり、下唇を下唇位置ガイド７に多く接触することができ、特に上唇は区分飲口１３の奥の方まで深く銜える事が容易となり、上唇中央部分も区分飲口１３の奥の方まで簡単、容易に多く接触することが可能となる。
【０１１７】
また、飲口区分切欠部１１の切欠深さであるが、切欠深さが深くて切欠広さが広い程、口唇部の両端部分を飲口区分切欠部１１に深く入れることができ、器１の大きさ及び飲み易さ及び口唇部の銜え易さ及び区分飲口１３の高さ等を考慮した所要切欠深さと所要切欠広さからなる通常Ｖ形状切欠部を用いるが、半円形状切欠部及びＵ形状切欠部を用いることも可能である。
【０１１８】
尚、製造方法であるが使用材質等にもよるが、通常は型を使って器１部分と区分飲口１３部分とリング状把手部３部分を一体成型するが、器１部分と区分飲口１３部分とリング状把手部３部分を別々に製作して、後から接着して一体化することも可能である。
【０１１９】
そして、使用方法としては［００５７］に記載した支持部１０を支持する親指位置の上部で、飲口区分切欠部１１で区分した区分飲口１３より飲む事ができる。
【０１２０】
次に、図２３及び図２４及び図２５は、器１の上縁９より下側所要位置までの外周壁２を、飲口区分切欠部１１で所要な大きさの四等分割に四区分して下唇位置ガイド７と区分飲口１３を設けた器１に、突出片状把手部４を器１の飲料を飲む口唇部に支障がない最適な外周壁２の縦方向所要位置に、突出片状把手部４を外周壁２に対して横方向の水平に四個突設固着した一例を示した図２３は正面図で、図２４は平面図で、図２５は図２４のＡ―Ａ線の断面図である。
【０１２１】
そして、［００４２］及び［００４３］及び［００４４］及び［００４５］及び［００４６］に記載の飲口区分切欠部１１を設けた器１に、［００５９］及び［００６０］及び［００６１］及び［００６２］及び［００６３］に記載の突出片状把手部４を器１の飲料を飲む口唇部に支障がない最適な外周壁２の縦方向所要位置に、通常は図２３に示す飲口区分切欠部１１の底部より５ｍｍ〜１０ｍｍ位の下側で、飲口区分切欠部１１の底部と水平に外周壁２に沿って横方向等分割に複数突設固定するが、飲口区分切欠部１１の底部に把手部上部６を合わせて水平に外周壁２に沿って横方向等分割に複数突設固定することも可能である。
【０１２２】
また、下唇位置ガイド７と一体化した区分飲口１３は、［０１１４］及び［０１１５］及び［０１１６］及び［０１１７］に記載した一体化の下唇位置ガイド７と区分飲口１３を用いる。
【０１２３】
尚、製造方法であるが使用材質等にもよるが、通常は型を使って器１部分と区分飲口１３部分を一体成型し、後から［００６４］に記載の製造方法で製造した突出片状把手部４を外周壁２に対して横方向の等間隔に接着剤で突設固着するが、器１部分と区分飲口１３部分と突出片状把手部４部分を一体成型することも可能である。
【０１２４】
そして、使用方法としては［００６５］に記載した支持部１０を支持する親指位置の上部で、飲口区分切欠部１１で区分した区分飲口１３より飲む。
【０１２５】
次に、図２６及び図２７及び図２８は、逆円錐台形状器１の上縁９より下側所要位置までの外周壁２を、飲口区分切欠部１１で所要な大きさの四等分割に四区分して下唇位置ガイド７と区分飲口１３を設けた器１に、着脱リング状把手部５を器１の飲料を飲む口唇部に支障がない最適な外周壁２の縦方向所要位置に、着脱ング状把手部５を外周壁２に対して横方向の水平に挿着して周設した一例を示し、着脱リング状把手部５を外周壁２より着脱する着脱方向を示した図２６は正面図で、図２７は平面図で、図２８は図２７のＡ−Ａ線の断面図である。
【０１２６】
そして、［００４２］及び［００４３］及び［００４４］及び［００４５］及び［００４６］に記載の飲口区分切欠部１１を設けた器１に、［００６７］及び［００６８］及び［００６９］及び［００７０］に記載の着脱リング状把手部５を、器１の飲料を飲む口唇部に支障がない最適な外周壁２の縦方向所要位置に、通常は図２６に示す飲口区分切欠部１１の底部に把手部上部６を合わせて水平に外周壁２に沿って挿着して横方向に周設するが、飲口区分切欠部１１の底部より５ｍｍ〜１０ｍｍ位の下側で、飲口区分切欠部１１の底部と水平に外周壁２に沿って挿着して横方向に周設することも可能である。
【０１２７】
また、下唇位置ガイド７と一体化した区分飲口１３は、［０１１４］及び［０１１５］及び［０１１６］及び［０１１７］に記載した一体化の下唇位置ガイド７と区分飲口１３を用いる。
【０１２８】
尚、製造方法であるが使用材質等にもよるが、通常は型を使って器１部分と区分飲口１３部分を一体成型し、後から［００７１］に記載の製造方法で製造した着脱リング状把手部５を用いる。
【０１２９】
そして、使用方法としては［００７２］に記載した支持部１０を支持する親指位置の上部で、飲口区分切欠部１１で区分した区分飲口１３より飲む事ができる。
【０１３０】
次に、図２９は図２０に示す、飲口区分切欠部１１で所要な大きさの四等分割に四区分した形状の異なる下唇位置ガイド７の下唇位置ガイド平面状７ａと下唇位置ガイド一突起状７ｅと下唇位置ガイド二突起状７ｆと下唇位置ガイド三突起状７ｇの一例を組み合わせて設けた器１を、図２０に示すＢ−Ｂ線で切断した断面を下から視た底面図である。
【０１３１】
そして、［００４２］及び［００４３］及び［００４４］及び［００４５］及び［００４６］に記載の飲口区分切欠部１１で所要な大きさの四等分割に四区分した器１に、形状の異なる下唇位置ガイド７の下唇位置ガイド平面状７ａと下唇位置ガイド一突起状７ｅと下唇位置ガイド二突起状７ｆと下唇位置ガイド三突起状７ｇの一例を組み合わせて設けた下唇位置ガイド平面状７ａは、通常下唇に不快感を与えない平滑な面状であるが、下唇位置ガイド平面状７ａの先端方向(縦方向)又は横方向に湾曲するとか、少し波打つウエーブ状の平滑な面状も使用可能である。
【０１３２】
また、下唇位置ガイド一突起状７ｅは、下唇に不快感を与えない滑らかな断面形状が半径１ｍｍ〜５ｍｍ位の半球形状からなる一個の突起物で、通常この所要な大きさの一突起物を下唇位置ガイド７の所要位置である中央部に設けるが、この所要な大きさの半球形状からなる一個の突起物を、所要な大きさの半球形状からなる一個の窪み状にして設けることも可能である。
【０１３３】
また、下唇位置ガイド二突起状７ｆは、下唇に不快感を与えない滑らかな断面形状が半径１ｍｍ〜５ｍｍ位の半球形状からなる二個の突起物で、通常この所要な大きさの二突起物を下唇位置ガイド７の所要位置である中央部に５ｍｍ〜１０ｍｍ位の所要の間隔を開けて設けるが、半球形状からなる二個の突起物の大きさを違えるとか、所要な大きさの半球形状からなる二個の窪み状にして設けることも可能である。
【０１３４】
また、下唇位置ガイド三突起状７ｇは、下唇に不快感を与えない滑らかな断面形状が半径１ｍｍ〜５ｍｍ位の半円形状からなる三個の突起物で、通常この所要な大きさの三突起物を下唇位置ガイド７の所要位置である中央部に３ｍｍ〜７ｍｍ位の所要の間隔を開けて設けるが、半球形状からなる三個の突起物の大きさを違えるとか、所要な大きさの半球形状からなる三個の窪み状にして設けることも可能である。
【０１３５】
また、形状の異なる下唇位置ガイド７として、図１６に示す下唇位置ガイド縦筋状７ｂと下唇位置ガイド逆八筋状７ｃと下唇位置ガイド横筋状７ｄとを組み合わせて用いることも好適な対応である。
【０１３６】
尚、製造方法であるが使用材質等にもよるが、通常は型を使って形状の異なる下唇位置ガイド７と形状の異なる区分飲口１３を一体成型するが、形成及び削成することも可能である。
【０１３７】
次に、図３０は図２１に示す飲口区分切欠部１１で所要な大きさの四等分割に四区分した形状の異なる区分飲口１３の区分飲口平面状１３ａと区分飲口一突起状１３ｂと区分飲口二突起状１３ｃと区分飲口三突起状１３ｄの一例を組み合わせて設けた器１を、上から視た平面図である。
【０１３８】
そして、［００４２］及び［００４３］及び［００４４］及び［００４５］及び［００４６］に記載の飲口区分切欠部１１で所要な大きさの四等分割に四区分した器１に、形状の異なる区分飲口１３の区分飲口平面状１３ａと区分飲口一突起状１３ｂと区分飲口二突起状１３ｃと区分飲口三突起状１３ｄの一例を組み合わせて設けた区分飲口平面状１３ａは、通常下唇に不快感を与えない平滑な面状であるが、区分飲口平面状１３ａの先端方向(縦方向)又は横方向に湾曲するとか、少し波打つウエーブ状の平滑な面状も使用可能である。
【０１３９】
また、区分飲口一突起状１３ｂは、上唇に不快感を与えない滑らかな断面形状が半径１ｍｍ〜５ｍｍ位の半球形状からなる一個の突起物で、通常この所要な大きさの一突起物を区分飲口１３の所要位置である中央部に設けるが、この所要な大きさの半球形状からなる一個の突起物を、所要な大きさの半球形状からなる一個の窪み状にして設けることも可能である。
【０１４０】
また、区分飲口二突起状１３ｃは、上唇に不快感を与えない滑らかな断面形状が半径１ｍｍ〜５ｍｍ位の半球形状からなる二個の突起物で、通常この所要な大きさの二突起物を区分飲口１３の所要位置である中央部に５ｍｍ〜１０ｍｍ位の所要の間隔を開けて設けるが、半球形状からなる二個の突起物の大きさを違えるとか、所要な大きさの半球形状からなる二個の窪み状にして設けることも可能である。
【０１４１】
また、区分飲口三突起状１３ｄは、上唇に不快感を与えない滑らかな断面形状が半径１ｍｍ〜５ｍｍ位の半円形状からなる三個の突起物で、通常この所要な大きさの三突起物を区分飲口１３の所要位置である中央部に３ｍｍ〜７ｍｍ位の所要の間隔を開けて設けるが、半球形状からなる三個の突起物の大きさを違えるとか、所要な大きさの半球形状からなる三個の窪み状にして設けることも可能である。
【０１４２】
また、形状の異なる区分飲口１３として、図１７に示す把手部飲口縦筋状８ｂと把手部飲口逆八筋状８ｃと把手部飲口横筋状８ｄとを組み合わせて用いることも好適な対応である。
【０１４３】
尚、製造方法であるが使用材質等にもよるが、通常は型を使って形状の異なる区分飲口１３と形状の異なる下唇位置ガイド７を一体成型するが、形成及び削成することも可能である。
【図面の簡単な説明】
【０１４４】
【図１】本発明の実施の形態を示すリング状把手部を器に設けた正面図
【図２】同リング状把手部を器に設けた平面図
【図３】同突出片状把手部を器に設けた正面図
【図４】同突出片状把手部を器に設けた平面図
【図５】同着脱リング状把手部を器に設けた正面図
【図６】同着脱リング状把手部を器に設けた平面図
【図７】同下唇位置ガイドと把手部飲口を設けたリング状把手部を器に設けた正面図
【図８】同下唇位置ガイドと把手部飲口を設けたリング状把手部を器に設けた平面図
【図９】同下唇位置ガイドと把手部飲口を設けたリング状把手部を器に設けた図８にお                    けるＡ−Ａ線断面図
【図１０】同下唇位置ガイドと把手部飲口を設けた突出片状把手部を器に設けた正面図
【図１１】同下唇位置ガイドと把手部飲口を設けた突出片状把手部を器に設けた平面図
【図１２】同下唇位置ガイドと把手部飲口を設けた突出片状把手部を器に設けた図１１に                    おけるＡ−Ａ線断面図
【図１３】同下唇位置ガイドと把手部飲口を設けた着脱リング状把手部を器に設けた正面                    図
【図１４】同下唇位置ガイドと把手部飲口を設けた着脱リング状把手部を器に設けた平面                    図
【図１５】同下唇位置ガイドと把手部飲口を設けた着脱リング状把手部を器に設けた図１                    ４におけるＡ−Ａ線断面図
【図１６】同図７に示す把手部上部に形状の異なる下唇位置ガイド設けたリング状把手部                    を器に設けた図７に示すＢ−Ｂ線断面を下から視た底面図
【図１７】同図８に示す把手部上部に形状の異なる把手部飲口を設けたリング状把手部を                    器に設けた平面図
【図１８】同図１０に示す把手部上部に形状の異なる下唇位置ガイド設けた突出片状把手                    部を器に設けた図１０に示すＢ−Ｂ線断面を下から視た底面図
【図１９】同図１０に示す把手部上部に形状の異なる把手部飲口を設けた突出片状把手部                    を器に設けた平面図
【図２０】同下唇位置ガイドと区分飲口を設けた器にリング状把手部を設けた正面図
【図２１】同下唇位置ガイドと区分飲口を設けた器にリング状把手部を設けた平面図
【図２２】同下唇位置ガイドと区分飲口を設けた器にリング状把手部を設けた図２１にお                    けるＡ−Ａ線断面図
【図２３】同下唇位置ガイドと区分飲口を設けた器に突出片状把手部を設けた正面図
【図２４】同下唇位置ガイドと区分飲口を設けた器に突出片状把手部を設けた平面図
【図２５】同下唇位置ガイドと区分飲口を設けた器に突出片状把手部を設けた図２４にお                    けるＡ−Ａ線断面図
【図２６】同下唇位置ガイドと区分飲口を設けた器に着脱リング状把手部を設けた正面図
【図２７】同下唇位置ガイドと区分飲口を設けた器に着脱リング状把手部を設けた平面図
【図２８】同下唇位置ガイドと区分飲口を設けた器に着脱リング状把手部を設けた図２７                    におけるＡ−Ａ線断面図
【図２９】同図２０に示す形状の異なる下唇位置ガイドを設けた器にリング状把手部を設                    けた図２０に示すＢ−Ｂ線断面を下から視た底面図
【図３０】同図２１に示す区分飲口に形状の異なる区分飲口を設けた器にリング状把手部                    を設けた平面図
【符号の説明】
【０１４５】
１      器
２      外周壁
３      リング状把手部
４      突出片状把手部
５      着脱リング状把手部
６      把手部上部
７      下唇位置ガイド
８      把手部飲口
９      上縁
１１    飲口区分切欠部
１３    区分飲口
【図１】
2015077993.tif 000003
【図２】
2015077993.tif 000004
【図３】
2015077993.tif 000005
【図４】
2015077993.tif 000006
【図５】
2015077993.tif 000007
【図６】
2015077993.tif 000008
【図７】
2015077993.tif 000009
【図８】
2015077993.tif 000010
【図９】
2015077993.tif 000011
【図１０】
2015077993.tif 000012
【図１１】
2015077993.tif 000013
【図１２】
2015077993.tif 000014
【図１３】
2015077993.tif 000015
【図１４】
2015077993.tif 000016
【図１５】
2015077993.tif 000017
【図１６】
2015077993.tif 000018
【図１７】
2015077993.tif 000019
【図１８】
2015077993.tif 000020
【図１９】
2015077993.tif 000021
【図２０】
2015077993.tif 000022
【図２１】
2015077993.tif 000023
【図２２】
2015077993.tif 000024
【図２３】
2015077993.tif 000025
【図２４】
2015077993.tif 000026
【図２５】
2015077993.tif 000027
【図２６】
2015077993.tif 000028
【図２７】
2015077993.tif 000029
【図２８】
2015077993.tif 000030
【図２９】
2015077993.tif 000031
【図３０】
2015077993.tif 000032